(57)【要約】      （修正有）【課題】ワイヤーの動きに滑り機能を持たせてカーテンを閉じたときに隙間を生じないようにしたワイヤー止め装置を提供する。【解決手段】止め具本体Ａが基片１と抑え片２で構成され、基片１に立設した螺杆１０の左右に突子を、該突子に係合する係合穴を抑え片２の底部に設けて基片１と抑え片２を合体させる。螺杆１３に係合する貫通孔を抑え片凹陥部に穿設し、該凹陥部内に前記螺杆と係合するバネ部材と帽状体１９を配置する。螺杆１３に螺合するナット１４を帽状体１９に圧接して、基片１と抑え片２の弧状溝からなる案内孔１２に挿通する駆動ワイヤー１１の動きに滑り機能を持たせる。【選択図】図１
0003191860.tif 000002
【実用新案登録請求の範囲】
【請求項１】
上下に嵌合溝を有し片側にカーテン取付け用の円管部及び他側に密着材取り付け溝を有する支持部材に、駆動ワイヤーを挿着する案内孔を設けた止め具本体が配置され、該本体は上下方向に分割される基片と抑え片で構成され、基片に突設した脚部が前記支持部材の嵌合溝に嵌着する温室のワイヤー止め装置であって、基片の中間部に立設した螺杆の左右に突子を設け、該突子に係合する係合穴を抑え片の底部に設けるとともに螺杆に係合する貫通孔を抑え片に形成した凹陥部の底部に穿設し、該凹陥部内に前記螺杆と係合するバネ部材及びバネ部材に被せる上孔付き帽状体を配置し且つ螺杆の突出箇所に螺合したナットを帽状体に圧接して基片と抑え片の弧状溝からなる案内孔に前記駆動ワイヤーが滑り可能となることを特徴とする温室のワイヤー止め装置。
【考案の詳細な説明】
【技術分野】
【０００１】  本考案は、カーテンを確実に閉じる温室のワイヤー止め装置に関する。
【背景技術】
【０００２】  温室カーテンの開閉装置の一例として、モーターに連動する駆動軸が回転すると同軸上の歯車が回転し、歯車の回転と同時に咬合しているラックが起動して往復直線運動をするとともに中間部材を介してカーテンが駆動ワイヤーとともに操作されるようにしたものが知られ、しかしてカーテンは温室の伝動滑車に張架された前記駆動ワイヤーと組み合わさっていて夫々のカーテンはワイヤーの動きに合わせて可動し開閉操作がなされる構成としたものが一般的であるが、その場合太陽光が温室内に不測に漏れたりしないようにすること等が必要であって、その対策として例えば固定枠の熱膨張に伴うジョイント部の隙間防止のためカーテン端部にゴムパッキンなどの密着材を設けるだけでなく固定枠の接合部に調整体を取り付ける手段をとる案もある（例えば特許文献１参照）。
【先行技術文献】
【特許文献】
【０００３】
【特許文献１】実用新案登録第３１３５４６８号公報
【考案の概要】
【考案が解決しようとする課題】
【０００４】  上記の特許文献にはカーテン端部の密着材が単に架設材に密着するだけでなく、カーテンを取り付ける円管部を備えた固定枠に調節体を取り付けるという手法をとっている。この方法によると固定枠の接合箇所の隙間を隠蔽できるという効果を奏するが、温室カーテンを動かす駆動ワイヤーによる隙間防止策までは想定していない。【０００５】  しかして駆動ワイヤーによりカーテン開閉を円滑にするために用いられるものにワイヤークリップがある。これには固定式とすべり式の二種類があり、夫々が用途に応じた構成をとり、固定式のクリップは主にカーテンを閉じたときに重ね合わせるようにして使用するものである。これに対しすべり式クリップはカーテンを閉じたときに当接箇所に生じる隙間を補正するために駆動ワイヤーを余分に動かし、滑らせて全体が隙間なく当たるようにしてカーテン開閉を円滑にすることができるというものである。なかんずくカーテンが温室の前後方向、つまり妻引き用である場合に駆動ワイヤーにはこのクリップを使用することが好ましいとはいえ未だ十分なワイヤークリップは無く、ワイヤーの動き調整に用いられるものは旧態依然のまゝであり、その多くは構造に無駄があって取り付け後の安定性に欠けたりカーテンの動きがアンバランスになるという問題がある。【０００６】  本考案は駆動ワイヤーの張設手段がすべり機能を備え、カーテンの動きにバランスを持たせることにより温室カーテンの開閉なかんずく確実に閉じることができる一助になるところの温室のワイヤー止め装置を提供しようとするものである。
【課題を解決するための手段】
【０００７】  すなわち本考案は、上下に嵌合溝を有し片側にカーテン取付け用の円管部及び他側に密着材取り付け溝を有する支持部材に、駆動ワイヤーを挿着する案内孔を設けた止め具本体が配置され、該本体は上下方向に分割される基片と抑え片で構成され、基片に突設した脚部が前記支持部材の嵌合溝に嵌着する温室のワイヤー止め装置であって、基片の中間部に立設した螺杆の左右に突子を設け、該突子に係合する係合穴を抑え片の底部に設けるとともに螺杆に係合する貫通孔を抑え片に形成した凹陥部の底部に穿設し、該凹陥部内に前記螺杆と係合するバネ部材及びバネ部材に被せる上孔付き帽状体を配置し且つ螺杆の突出箇所に螺合したナットを帽状体に圧接して基片と抑え片の弧状溝からなる案内孔に前記駆動ワイヤーが滑り可能となることを特徴としている。
【考案の効果】
【０００８】  駆動ワイヤーは本体の案内孔に挿着されるが、該案内孔は基片と抑え片の両弧状溝を分離可能にして形成されたものであり、バネ部材の働きにより案内孔に挿着される駆動ワイヤーに対して動きに応じた制御機能が働く。したがって開閉される温室のカーテンは駆動ワイヤーの微妙な滑りバランスによって柔軟な動きをするためカーテンを架設材に対し密着させることができ開閉操作が確実になされる。【０００９】  前記案内孔によって駆動ワイヤーは、所定以上の負荷がかかった場合でも硬直した動きとならないためワイヤーは案内孔内において過剰な摩擦抵抗を生ずることがなく、ワイヤーの表面被膜が切破傷損することがないためその寿命を長く保ち、故障による修理などの面倒な手間を可及的回避できる。
【図面の簡単な説明】
【００１０】
【図１】本考案の斜視図（ａ）と、カーテン取り付け後の背面図（ｂ）である。
【図２】本考案本体を分解した説明図であり（ａ）は基片の斜視図、（ｂ）は抑え片の斜視図、（ｃ）は抑え片の底面図である。
【図３】本考案の取り付け状態を示す要部断面図である。
【図４】本考案を設置した温室の概略図である。
【考案を実施するための形態】
【００１１】  本考案の一形態につき図面を参照して説明すると、図１は全体の外観を示すもので、止め具の本体Ａは上下方向に分割可能な基片１と抑え片２で構成され、基片１の下面に形成した凸型の脚部３が温室に架設される支持部材４の嵌合溝５に嵌合し、本体Ａが嵌合溝５の所定位置にて固定される。
【００１２】  支持部材４は片側に円管部６、他側に密着材７を取り付けるための取り付け溝８形成した上下対象構造となっている。図（ａ）では説明の便宜上本体Ａを上面に取り付けているが、本来は（ｂ）のようにして本体Ａが逆向きとなるものであり、カーテン９は端部がＣ型管を介して円管部６に固着され、密着材７は架設材１０に隙間なく当接するものである。
【００１３】  本体Ａの長手方向には、支持部材４と直交する形で駆動ワイヤー１１を挿着する案内孔１２を設けてあり、この案内孔１２は基片１と抑え片２を重ね合わせた箇所に形成されたものであって駆動ワイヤー１１の周面とは若干のギャップを生ずることを前提としているため、基片１に対し抑え片２を結合するに際し基片１側から突出する螺杆１３を抑え片２側のナット１４で締め付けるときの締め付け加減で後記するバネ部材１８が機能して駆動ワイヤー１１の動きを制御する。
【００１４】  図２は本体Ａを分解して示したもので、前記の螺杆１３は基片１の片側中間位置に基部を固定し、その左右に突子１５を形成したもので、基片１の長手方向中央は前記案内孔１２の一方を形成する弧状溝ｍとなっている。そしてこの弧状溝ｍに重ね合わさって案内孔１２を形成する他方の弧状溝ｎが、抑え片２の長手方向下面に形成されている。
【００１５】  すなわち抑え片２は中央に円形の凹陥部１６を形成しその底部に前記螺杆１３を挿通する貫通孔１７を穿ち、凹陥部１６内にバネ部材１８と、該バネ部材１８に被せる孔付き帽状体１９を配置し、帽状体１９の上面に螺杆１３と螺合するナット１４が座金２０を介して臨んでいる。そして抑え片２の底面には、基片１の左右突子１５と係合する係合穴Ｐが形成され、基片１上面に抑え片２が位置決め固定される。
【００１６】  しかして図３は支持部材４に固定した基片１の上面に抑え片２を取り付けてナット２０の締め付けにより本体Ａを不動状とした断面を示している。螺杆１３と螺合しているナット１４を緩めるとその分ナット１４は上昇するためバネ部材１８が伸長して帽状体１９も凹陥部１６内を上昇して基片１と接している抑え片２の上下の弧状溝ｍ・ｎからなる案内孔１２に隙間が生じ、逆にナット１４を締めると帽状体１９がバネ部材１８を圧縮して抑え片２が基片１に密接し上下の弧状溝ｍ・ｎが近接するため案内孔１２の隙間が減少する。したがって案内孔１２に挿通してあるワイヤー１１はナット１４の締め付け加減で動きが制御可能となり動きにバランスがとれてカーテン操作を確実なものとする。
【００１７】  図４は温室Ｂに本案装置を設置した例の概略を示すもので、すなわち駆動ワイヤー１１は、天井近傍のモーターにより作動する駆動ドラム２２、温室Ｂの側壁に沿って設けられた滑車２３に沿って正逆走行し、同時に支持部材４とともにカーテン９が開閉される。支持部材４には密着材７があるもののカーテン９は場所によって隙間を生じてしまうところ、本体Ａの案内孔１２に挿着してあるワイヤー１１は、本体のバネ部材１８のバネ作用によって所定以上の負荷がかかった場合において案内孔内において滑り機能を発揮するためカーテン９が隙間を生じない方向に作用する。
【００１８】  前記したとおり本体Ａを構成する基片１と抑え片２は頗るシンプルな構成でありながら夫々が要所にリブを設けることで堅牢で長期使用に耐えられる構造となるが、図示したものは一例であって本考案の目的効果を奏する範囲における付加・変更事項も本考案の実施の範疇に属し、また温室構造なども本考案の実施につき特段拘泥すべきことでないことも勿論である。
【符号の説明】
【００１９】Ａ    止め具本体
１    基片
２    抑え片
３    脚部
４    支持部材
５    嵌合溝
６    円管部
７    密着材
８    取り付け溝
９    カーテン
１０  架設材
１１  駆動ワイヤー
１２  案内孔
１３  螺杆
１４  ナット
１５  突子
Ｐ    係合穴
ｍ    弧状溝
ｎ    弧状溝
１６  凹陥部
１７  貫通孔
１８  バネ部材
１９  帽状体
Ｂ    温室
【図１】
0003191860.tif 000003
【図２】
0003191860.tif 000004
【図３】
0003191860.tif 000005
【図４】
0003191860.tif 000006